(57)【要約】【課題】在席情報など利用者による入力操作を不要にし、いつ、どの利用者が、どの座席に、在席しているのかを確認可能な在席管理システムを提供する。【解決手段】在席管理システム１００は、第１の通信機２００、第２の通信機３００、管理装置４００からなる。第１の通信機は利用者に携帯され、第２の通信機は管理領域１にある座席Ｓなどに設置され、座席に第１の通信機を携帯した利用者がいるか否かを、人体を経由して自動的に検知し、在離席情報を無線ＬＡＮ６経由で自動的に管理装置に送信する。管理装置では、在離席情報に含まれる第１の通信機ＩＤ情報を利用者ＩＤ情報と、第２の通信機ＩＤ情報を座席の設置場所情報と、それぞれ関連付けして、いつ、どの利用者が、どの座席に、在席しているのかを確認可能な在離席履歴情報を自動的に格納する。【選択図】図１
2012248086.tif 000002
【特許請求の範囲】
【請求項１】
人体に誘起させる電界を用いて通信を行う第１及び第２の通信機と、該第２の通信機が有線又は無線通信ネットワークで接続された管理装置からなり、
上記第１の通信機は、利用者に携帯され、
該第１の通信機固有の第１の通信機ＩＤ情報を予め記憶しておく第１の通信機ＩＤ情報記憶手段と、
電界伝送媒体としての利用者に電界を誘起させる電界送信手段と、
上記第１の通信機ＩＤ情報記憶手段から上記第１の通信機ＩＤ情報を読み込むとともに上記電界送信手段に上記第１の通信機ＩＤ情報を発信させる第１の通信機ＩＤ情報発信手段とを備え、
上記第２の通信機は、
管理領域にある座席に在席している利用者に誘起された電界を検出して上記第１の通信機ＩＤ情報を受信する電界受信手段と、
上記第２の通信機固有の第２の通信機ＩＤ情報を予め記憶しておく第２の通信機ＩＤ情報記憶手段と、
上記第１及び第２の通信機間の人体通信の通信タイミングにおいて、上記電界受信手段が上記第１の通信機ＩＤ情報を受信した場合には上記第１の通信機ＩＤ情報に上記第２の通信機ＩＤ情報、その時の時刻情報を加えた在席情報を生成し、上記電界受信手段が上記第１の通信機ＩＤ情報を受信しない場合には上記第２の通信機ＩＤ情報にその時の時刻情報を加えた離席情報を生成する在離席情報生成手段と、
該在離席情報生成手段で生成した上記在離席情報を上記通信ネットワーク上に送出する在離席情報送信手段とを備え、
上記管理装置は、
上記通信ネットワーク上の上記在離席情報を受信する在離席情報受信手段と、
利用者固有の利用者ＩＤ情報と上記第１の通信機ＩＤ情報との対応関係を示す登録情報、上記座席の設置場所情報と上記第２の通信機ＩＤ情報との対応関係を示す登録情報を予め記憶しておく登録情報記憶手段と、
該登録情報記憶手段に予め記憶しておいた上記各登録情報に基づき、上記在離席情報に含まれる上記第１の通信機ＩＤ情報を上記利用者ＩＤ情報と、上記第２の通信機ＩＤ情報を上記座席の設置場所情報と、それぞれ、関連付けした在離席履歴情報を生成する在離席履歴情報生成手段と、
該在離席履歴情報生成手段で生成した上記在離席履歴情報を格納しておく在離席履歴情報格納手段とを備えることを特徴とする在席管理システム。
【請求項２】
上記管理装置は、
情報端末から在席情報に関するサービスを受け付けるサービス要求受付手段と、
該サービス要求受付手段で受け付けたサービスの要求に応じて上記在離席履歴情報格納手段から上記在離席履歴情報を読み込み、サービスを要求した上記情報端末に提供するサービス提供手段とを備える請求項１に記載の在席管理システム。
【発明の詳細な説明】
【技術分野】
【０００１】
本発明は、利用者の在席を管理する在席管理システムに関する。
【背景技術】
【０００２】
従来の在席管理システムは、利用者の在席エリアに設置された情報端末から入力された在席情報により在席を検知する、又は利用者の在席エリアに設置されたカードリーダに非接触型ＩＣカードをかざすことで入力されたＩＤ情報等の在席情報により在席を検知する（例えば特許文献１参照）。
【先行技術文献】
【特許文献】
【０００３】
【特許文献１】特開平５−１６７６９４号公報
【発明の開示】
【発明が解決しようとする課題】
【０００４】
従来の在席管理システムでは、在席時に利用者自身が在席情報を入力する必要があり、利用者に負担がかかるという問題があった。また、利用者の在席場所を管理するもので無かった。
【０００５】
本発明の目的は、利用者による入力操作を不要にし、いつ、どの利用者が、どの座席に、在席しているのかを確認することができる在席管理システムを提供する。
【課題を解決するための手段】
【０００６】
上記課題を解決するための第１の手段は、人体に誘起させる電界を用いて通信を行う第１及び第２の通信機と、該第２の通信機が有線又は無線通信ネットワークで接続された管理装置からなり、上記第１の通信機は、利用者に携帯され、該第１の通信機固有の第１の通信機ＩＤ情報を予め記憶しておく第１の通信機ＩＤ情報記憶手段と、電界伝送媒体としての利用者に電界を誘起させる電界送信手段と、上記第１の通信機ＩＤ情報記憶手段から上記第１の通信機ＩＤ情報を読み込むとともに上記電界送信手段に上記第１の通信機ＩＤ情報を発信させる第１の通信機ＩＤ情報発信手段とを備え、上記第２の通信機は、管理領域にある座席に在席している利用者に誘起された電界を検出して上記第１の通信機ＩＤ情報を受信する電界受信手段と、上記第２の通信機固有の第２の通信機ＩＤ情報を予め記憶しておく第２の通信機ＩＤ情報記憶手段と、上記第１及び第２の通信機間の人体通信の通信タイミングにおいて、上記電界受信手段が上記第１の通信機ＩＤ情報を受信した場合には上記第１の通信機ＩＤ情報に上記第２の通信機ＩＤ情報、その時の時刻情報を加えた在席情報を生成し、上記電界受信手段が上記第１の通信機ＩＤ情報を受信しない場合には上記第２の通信機ＩＤ情報にその時の時刻情報を加えた離席情報を生成する在離席情報生成手段と、該在離席情報生成手段で生成した上記在離席情報を上記通信ネットワーク上に送出する在離席情報送信手段とを備え、上記管理装置は、上記通信ネットワーク上の上記在離席情報を受信する在離席情報受信手段と、利用者固有の利用者ＩＤ情報と上記第１の通信機ＩＤ情報との対応関係を示す登録情報、上記座席の設置場所情報と上記第２の通信機ＩＤ情報との対応関係を示す登録情報を予め記憶しておく登録情報記憶手段と、該登録情報記憶手段に予め記憶しておいた上記各登録情報に基づき、上記在離席情報に含まれる上記第１の通信機ＩＤ情報を上記利用者ＩＤ情報と、上記第２の通信機ＩＤ情報を上記座席の設置場所情報と、それぞれ、関連付けした在離席履歴情報を生成する在離席履歴情報生成手段と、該在離席履歴情報生成手段で生成した上記在離席履歴情報を格納しておく在離席履歴情報格納手段とを備える構成とし、人体（電界）通信を使って座席ごとの在離席を自動的に検知し、座席ごとの在離席情報を通信ネットワークを介して管理装置に自動的に送信することで、管理装置に、いつ、どの利用者が、どの座席に、在席しているのかを特定可能な座席ごとの在離席履歴情報を自動的に格納する。
【０００７】
第２の手段は、上記第１の手段において、上記管理装置は、情報端末から在席情報に関するサービスを受け付けるサービス要求受付手段と、該サービス要求受付手段で受け付けたサービスの要求に応じて上記在離席履歴情報格納手段から上記在離席履歴情報を読み込み、サービスを要求した上記情報端末に提供するサービス提供手段とを備える構成とし、リアルタイムに情報端末で、いつ、どの利用者が、どの座席に、在席しているかを確認可能とする。
【発明の効果】
【０００８】
本発明によれば、人体（電界）通信を使うことで、在席情報等、利用者による入力操作を不要にし、管理装置に格納された座席ごとの在離席履歴情報から、いつ、どの利用者が、どの座席に、在席しているのかを確認可能な在席管理システムを提供することができる。
【図面の簡単な説明】
【０００９】
【図１】本発明の一実施形態を示す人体通信を使った在席管理システムの構成図
【図２】第１の通信機と第２の通信機の機能ブロック図
【図３】第１の通信機のフローチャート
【図４】第２の通信機のフローチャート
【図５】管理装置のフローチャート
【図６】第２の通信機に蓄積される座席ごとの在離席情報の一例を示す図
【図７】管理装置で管理される座席ごとの在離席履歴情報の一例を示す図
【発明を実施するための形態】
【００１０】
以下、本発明の一実施形態を図面に基づいて説明する。
【００１１】
図１は、本発明の一実施形態を示す人体（電界）通信を使った在席管理システム１００の構成図である。
【００１２】
図において、１は、在席管理システム１００の管理領域であり、利用者Ｕの在席場所が定められていない所謂フリーアドレスのオフィスである。管理領域１には、利用者Ｕが出入り（入室／退室）するためのドア２が設けられる。また、管理領域１内には、複数の利用者Ｕが、それぞれ、業務等を行うための複数の座席（座席エリア）Ｓが設けられる。各座席Ｓには、それぞれ、椅子３と机４が床の上に置かれて設けられる。また、各座席Ｓには、パソコン５が机４の上に置かれて設けられる。この管理領域１においては、利用者Ｕは、空いている座席Ｓを自由に使うことができる。
【００１３】
このような管理領域１に対し、在席管理システム１００は、各利用者Ｕに携帯される第１の通信機（人体通信の送信機）２００と、各座席Ｓに設置される第２の通信機（人体通信の送信機）３００と、管理領域１内に設置され、各第２の通信機３００が無線ＬＡＮ６を介して接続される管理装置４００とで構成される。管理装置４００には、各パソコン５が別の無線ＬＡＮ７を介して接続される。
【００１４】
図２に、第１の通信機２００と第２の通信機３００の機能ブロック図を示す。
【００１５】
在席管理システム１００が採用する人体通信は、電界方式であり、第１の通信機（人体通信の送信機）２００と第２の通信機（人体通信の受信機）３００は、ある周波数（例えば１０．７ＭＨｚ）の変調波を誘電体の利用者Ｕ（人体）を介して送信し、利用者Ｕを介して受信し、通信を行う。
【００１６】
図において、第１の通信機２００は、第１の通信機２００固有の第１の通信機ＩＤ情報を予め記憶しておく第１の通信機ＩＤ情報記憶部２１０と、電界伝送媒体としての利用者Ｕに電界を誘起させる電界送信部２２０と、第１の通信機ＩＤ情報記憶部２３０から第１の通信機ＩＤ情報を読み込むとともに電界送信部２２０に第１の通信機ＩＤ情報を発信させる第１の通信機ＩＤ情報発信部２３０とを備える。また、電界送信部２２０は、第１の通信機ＩＤ情報発信部２３０から入力される第１の通信機ＩＤ情報を変調し送信信号として出力する送信回路２２１と、送信信号を利用者Ｕに印加する送信側アンテナとしての送信側電極２２２とを有する。
【００１７】
また、第１の通信機２００は、第１の通信機ＩＤ情報記憶部２１０（メモリ）と電界送信部２２０と第１の通信機ＩＤ情報発信部２３０（マイコン）とを１チップ化したＩＣを電源制御基板等に搭載し、その電源制御基板と電源である電池とを１つのケースに収容した形態を有する。この際、金属パッド等からなる送信側電極２２２は、利用者Ｕが第１の通信機２００を携帯したときに利用者Ｕに接近するように、ケースの表面直下に内蔵される。そして、利用者Ｕが第１の通信機２００を携帯したとき、利用者Ｕと送信側電極２２２が容量結合するようになっている。なお、第１の通信機２００は、利用者Ｕと送信側電極２２２とが容量結合しやすいように、ケースを利用者Ｕの腕等、利用者Ｕの一部分に装着するバンドを設け、利用者Ｕの一部分に装着可能な形態にしてもよい。この際、送信側電極２２２は、ケースを利用者Ｕの一部分に装着したときに利用者Ｕに接近するように、ケースの裏面直下に内蔵される。また、送信側電極２２２は、利用者Ｕと容量結合しやすいように、ケースの外側に絶縁性のカバーで覆った形態で設けてもよい。さらに、絶縁性のカバーで被覆した送信側電極２２２を電気コードでケース（通信機本体）に接続し、送信側電極２２２を利用者Ｕの一部分に装着し、ケースを利用者Ｕの鞄や衣服のポケットに入れて持ち歩くようにしてもよい。この際、ケースが、携帯電話機、スマートホン、携帯型オーディオ等の携帯型の電子機器の筐体であって、電気コードが、イヤホンコードであって、送信側電極２２２をイヤホンに内蔵してもよい。送信側アンテナとして、送信側電極２２２に代えて、コイルを使用することができる。
【００１８】
一方、第２の通信機３００は、管理領域１にある座席Ｓに在席している利用者Ｕに誘起された電界を検出して第１の通信機ＩＤ情報を受信する電界受信部３１０と、第２の通信機３００固有の第２の通信機ＩＤ情報を予め記憶しておく第２の通信機ＩＤ情報記憶部３２０と、第１の通信機２００と第２の通信機３００との間の人体通信の通信タイミングにおいて、電界受信部３１０が第１の通信機ＩＤ情報を受信した場合には第２の通信機ＩＤ情報に第２の通信機ＩＤ情報、その時の時刻情報を加えた在席情報を生成し、電界受信部３１０が第１の通信機ＩＤ情報を受信しない場合には第２の通信機ＩＤ情報にその時の時刻情報を加えた離席情報（不在情報、空席情報とも言える）を生成する在離席情報生成部３５０と、在離席情報生成部３５０で生成した在離席情報を無線ＬＡＮ６上に送出する在離席情報送信部３４０とを備える。また、電界受信部３１０は、受信側アンテナとしての受信側電極３１１と、座席Ｓに在席している利用者Ｕの表面に誘起された電界強度を受信側電極３１１を介して検出し、受信信号に変換し、受信信号から第２の通信機ＩＤ情報を復調する受信回路３１２とを有する。在離席情報送信部３４０は、在離席情報を無線ＬＡＮ６に送信するためパケット化するＬＡＮコントローラと、無線ＬＡＮ６と接続するためのＬＡＮポートとを含む。さらに、第２の通信機３００は、在離席情報生成部３５０で生成した在離席情報を一時蓄積しておく在離席情報格納部３３０を備える。
【００１９】
また、第２の通信機３００は、各座席Ｓにおいて、椅子３に着席した利用者Ｕに接近する位置に設置される。設置位置としては、椅子３（図１参照）や机がある。その他、床に内蔵したり、床面に埋め込んだり、床に敷くマットに内蔵して、床に設置してもよい。また、第２の通信機３００は、電界受信部３１０と第２の通信機ＩＤ情報記憶部３２０（メモリ）と在離席情報生成部３５０（マイコン）と在離席情報送信部３４０と在離席情報格納部３３０とを１チップ化したＩＣを電源制御基板に搭載し、その電源制御基板と電源である電池とを１つのケースに収容した形態を有する。この際、金属パッド等からなる受信側電極３１１は、利用者Ｕが椅子３に着席したとき利用者Ｕに接近するように、ケースの表面直下に内蔵される。そして、利用者Ｕが椅子３に着席したとき、受信側電極３１１と利用者Ｕの表面に誘起された電界とが接触するようになっている。なお、絶縁性のカバーで被覆した受信側電極３１１を電気コードでケース（第２の通信機本体）に接続し、受信側電極２２１を椅子３に着席した利用者Ｕに接近する場所に設置し、ケースを利用者Ｕから離して座席Ｓ内の目立たない位置に設置してもよい。この際、ケースが、座席Ｓ内に固定設置される機器の筐体であってもよい。また、ケースは、座席Ｓの外側に設置してもよく、この際、ケースが、座席Ｓの外側に固定設置される機器の筐体であってもよい。受信側アンテナとして、受信側電極３１１に代えて、コイルを使用することができる。
【００２０】
図１に、管理装置４００を示す。
【００２１】
図において、管理装置４００は管理サーバで構成され、第１の通信機２００と第２の通信機３００を使って、すなわち人体通信を使って、各座席Ｓの在席状況を検知し、また、一定時間間隔で第２の通信機３００にアクセスし、各座席Ｓごとの在離席情報を取得し、座席Ｓごとの在離履歴席情報として格納（保存）するもので、各第２の通信機３００から無線ＬＡＮ６上に送出された座席Ｓごとの在離席情報を受信する在離席情報受信部４１０と、利用者Ｕ固有の利用者ＩＤ情報と第１の通信機ＩＤ情報との対応関係を示す登録情報、座席Ｓの設置場所情報と第２の通信機ＩＤ情報との対応関係を示す登録情報を予め記憶しておく登録情報記憶部４２０と、登録情報記憶部４２０に予め記憶しておいた各登録情報に基づき、在離席情報に含まれる第１の通信機ＩＤ情報を利用者ＩＤ情報と、第２の通信機ＩＤ情報を座席Ｓの設置場所情報と、それぞれ、関連付けした在離席履歴情報を生成する在離席履歴情報生成部４３０と、在離席履歴情報生成部４３０で生成した在離席履歴情報を格納しておく在離席履歴情報格納部４４０とを備える。
【００２２】
また、管理装置４００は、クライアントであるパソコン５からの在席情報に関するサービス要求に応じて在離席履歴情報を提供するもので、各座席Ｓに設置されたパソコン５から在席情報に関するサービスを受け付けるサービス要求受付部４５０と、サービス要求受付部４５０で受け付けたサービスの要求に応じて在離席履歴情報格納部４４０から在離席履歴情報を読み込み、サービスを要求したパソコン５に提供するサービス提供部４６０とを備える。
【００２３】
各第２の通信機３００と管理装置４００とを接続する通信ネットワーク、各パソコン５と管理装置４００とを接続する別の通信ネットワークには、有線通信では有線ＬＡＮ等の既存のものを利用することができる。一方、無線通信では、無線ＬＡＮ６の他の規格の既存のものも利用することができる。また、管理装置４００は、管理領域１外に設置してもよい。その際、管理装置４００が遠隔場所に設置される場合、通信ネットワークとしては、インターネットや公衆回線網等を利用することができる。
【００２４】
図３は、第１の通信機２００のフローチャートであり、第１の通信機２００は、図３のフロチャートのように動作する。ここでは、予め設定される第１の通信機ＩＤ情報の発信タイミングの間隔を例えば２分とする。
【００２５】
（１）第１の通信機２００の電源がＯＮになると（Ｓ２０１）、（２）第１の通信機ＩＤ情報発信部２３０が第１の通信機ＩＤ情報記憶部２１０に予め記憶しておいた第１の通信機ＩＤ情報を読み込み（Ｓ２０２）、（３）タイマカウンタがカウントアップする（Ｓ３０３）。（４）第１の通信機ＩＤ情報発信部２３０では常にタイマカウンタのカウント値を監視しており、第１の通信機ＩＤ情報の発信タイミングか否かの判断を行い、第１の通信機ＩＤ情報発信部２３０は、第１の通信機ＩＤ情報の発信間隔の時間Ｔ１が経過していなかったら何もせず、そのまま監視を続け（Ｓ２０４）、（５）もし、（４）で第１の通信機ＩＤ情報の発信間隔の時間Ｔ１が経過すると、（２）で読み込んだ第１の通信機ＩＤ情報を電界送信部２２０から発信させ（Ｓ２０５）、（６）タイマカウンタをクリアして（Ｓ２０６）、（３）へ戻る。
【００２６】
そして、（３）−（６）のループで、第１の通信機ＩＤ情報発信部２３０は、（２）で読み込んだ第１の通信機ＩＤ情報を電界送信部２２０に一定時間Ｔ１間隔で繰り返し入力する。電界送信部２２０は、第１の通信機ＩＤ情報を送信回路２２２によって変調した送信信号を送信側電極２２２から電界伝送媒体としての利用者Ｕに容量結合を介して印加し、送信信号に応じた強さの電界を利用者Ｕの表面に誘起させ、第１の通信機ＩＤ情報を一定時間Ｔ１間隔で繰り返し発信する。ここで、第１の通信機ＩＤ情報１個の発信に要する時間は一瞬なので、第１の通信機ＩＤ情報の発信タイミング間隔は、例えば０．５秒や１秒等でもよい。
【００２７】
図４は、第２の通信機３００のフローチャートであり、第２の通信機３００は、図４のフロチャートのように動作する。ここでは、第１の通信機ＩＤ情報の発信タイミング間隔よりも短くなるように予め設定される人体通信のタイミング間隔を例えば１分とし、人体通信の通信タイミング間隔よりも長く、かつ第１の通信機ＩＤ情報の発信タイミング間隔よりも長くなるように予め設定される無線ＬＡＮ通信の通信タイミング間隔を例えば５分とする。
【００２８】
（１）第２の通信機３００の電源がＯＮになると（Ｓ３０１）、（２）在離席情報生成部３５０が管理装置４００の時刻で時刻を同期し、第２の通信機ＩＤ情報記憶部３２０に予め記憶しておいた第２の通信機ＩＤ情報を読み込み（Ｓ３０２）、（３）無線ＬＡＮ通信カウンタがカウントアップし（Ｓ３０３）、（４）人体通信カウンタがカウントアップする（Ｓ３０４）。（５）在離席情報生成部３５０では常に人体通信カウンタのカウント値を監視しており、人体通信の通信タイミングか否かの判断を行い、在離席情報生成部３５０は、人体通信の通信タイミング、すなわち座席Ｓに利用者Ｓが在席しているか否かの在席状況を検知するタイミングでなかったら何もせず、そのまま監視を続け（Ｓ３０５）、（６）もし、（５）で人体通信の通信タイミングだったら、第１の通信機ＩＤ情報を受信したか否か（座席Ｓに利用者Ｓが在席しているか否か）の判断を行い、（７）（６）で第１の通信機ＩＤ情報を受信した場合（座席Ｓに利用者Ｓが在席している場合）には在席情報を生成し、在離席情報格納部３３０に書き込み（Ｓ３０７ａ）、第１の通信機ＩＤ情報を受信しない場合（座席Ｓに利用者Ｓがいない場合）には離席情報を生成し、在離席情報格納部３３０に書き込み（Ｓ３０７ｂ）、（８）人体通信カウンタをクリアする（Ｓ３０８）。（９）在離席情報生成部３５０ではまた無線ＬＡＮ通信カウンタのカウント値を監視しており、無線ＬＡＮ通信の通信タイミングが否かの判断を行い、在離席情報生成部３５０は、無線ＬＡＮ通信の通信タイミング（在離席情報格納部３３０に蓄積した一定個数の在離席情報を管理装置４００に送信するタイミング）でなかったら、（４）へ戻り、（１０）もし、（９）で無線ＬＡＮ通信の通信タイミングだったら（ここでは人体通信の通信タイミングは１分間隔で、無線ＬＡＮ通信の通信タイミングは５分間隔なので、５分（一定時間）が経過したら、言い換えると、在離席情報格納部３３０に５個（一定の個数）の在離席情報を蓄積したら）無線ＬＡＮ６と接続し、在離席情報格納部３３０に一時蓄積した５個の在離席情報を読み込み、在離席情報送信部３４０に受け渡し、そこから無線ＬＡＮ６のゲートウェイに送出させ（Ｓ３１０）、（１１）無線ＬＡＮ通信カウンタをクリアして、（３）へ戻る（Ｓ３１１）。
【００２９】
そして、（３）−（１１）のループで、在離席情報生成部３５０は、座席Ｓに利用者Ｓが在席しているか否かの在席状況を一定時間間隔で繰り返し検知し、その検知結果に基づいて在離席情報を生成する。この際、座席Ｓに利用者Ｓが在席しているか否かの在席状況は、人体通信を使うことで、第１の通信機２００を携帯した利用者Ｓが座席Ｓにある椅子３に着席する、又は椅子３から離れるだけで自動的に検知することができるので、利用者Ｕ自身が在離席情報を入力する必要がなく、利用者Ｕに負担をかけることがない。ここで、第１の通信機ＩＤ情報１個の受信に要する時間は一瞬なので、人体通信のタイミング間隔は、例えば１秒間隔でもよい。
【００３０】
また、第２の通信機３００は、無線ＬＡＮ６を介して一定時間間隔で管理装置４００と通信し、その無線ＬＡＮ通信の通信タイミング間隔の間に蓄積した在離席情報を管理装置４００に自動的に送信する。蓄積した在離席情報を無線ＬＡＮ６を介して一定時間間隔で管理装置４００に自動的に送信する。ここで、在離席情報１個のデータ量は僅かで、人体通信の通信タイミングを例えば１秒間隔とし、無線ＬＡＮ通信の通信タイミング間隔を例えば１５分としても、数秒から数十秒以内で通信が終わるので、無線ＬＡＮ通信の通信タイミング間隔は、例えば１分等でもよい。
【００３１】
無線ＬＡＮ通信の通信タイミングは、無線ＬＡＮ通信カウンタの起動から一定時間（ここでは５分）経過後としたが、在席情報格納部３３０に在離席情報が一定個数（ここでは５個）蓄積後とし、在席情報格納部３３０における在離席情報の蓄積個数（人体通信回数）で設定してもよい。
【００３２】
図５は、管理装置４００のフローチャートであり、管理装置４００は、図５のフロチャートのように動作する。
【００３３】
在席管理において、（１）在離席履歴情報生成部４３０が、登録情報記憶部４２０に予め記憶しておいた登録情報（利用者Ｕ固有の利用者ＩＤ情報と第１の通信機ＩＤ情報との対応関係を示す登録情報、座席Ｓの設置場所情報と第２の通信機ＩＤ情報との対応関係を示す登録情報）を１日に１回所定時刻（例えばＡＭ３：００など業務時間外の時刻）に読み込む（なお、登録情報が更新されたときに読み込んでもよい。）（Ｓ４０１）。（２）在離席情報受信部４１０が、各第２の通信機３００から無線ＬＡＮ６上に送出された各座席Ｓごとの在離席情報を受信する（Ｓ４０２）。（３）在離席履歴情報生成部４３０が、各登録情報に基づき、個々の在離席情報に含まれる第１の通信機ＩＤ情報を利用者ＩＤ情報と、第２の通信機ＩＤ情報を座席Ｓの設置場所情報と、それぞれ、関連付けした各座席Ｓごとの在離席履歴情報を生成し、在離席履歴情報格納部４４０に格納（保存）する（Ｓ４０３）。
【００３４】
また、（４）サービス要求受付部４５０が、各座席Ｓに設置されたパソコン５から無線ＬＡＮ７経由で在席情報に関するサービスを受け付け（受信し）、サービス提供部４６０へ受け渡す（Ｓ４０４）。（５）サービス提供部４６０が、サービスの要求に応じて在離席履歴情報格納部４４０から各座席Ｓごとの在離席履歴情報を読み込み、無線ＬＡＮ６経由でサービスを要求したパソコン５に提供（送信）する（Ｓ４０５）。
【００３５】
そして、図６に、第２の通信機３００に蓄積される座席Ｓごとの在離席情報の一例を示し、図７に、管理装置４００で管理される座席Ｓごとの在離席履歴情報の一例を示す。なお、ここでの在離席情報、在離席履歴情報は、人体通信の通信タイミング間隔を１分とし、無線ＬＡＮ通信の通信タイミング間隔を５分とした結果である。
【００３６】
図６に示す在離席情報は、ある１つの座席Ｓのものであるが、図６に示す在離席情報では、ある１つの座席Ｓにおいて、いつ、どの第１の通信機２００が、在席／離席したのかが特定されている。そして、本実施形態の座席管理システム１００では、人体通信を使うことで、このような在離席情報を第２の通信機３００側で自動的に生成することができる。
【００３７】
図７に示す在離席履歴情報は、図６に示した在離席情報を蓄積したものであるが、図７に示す在離席履歴情報では、ある１つの座席Ｓにおいて、いつ、どの利用者Ｕが、在席／離席したのかが特定されている。そして、本実施形態の在席管理システム１００では、在離席情報を第２の通信機３００から無線ＬＡＮ６（通信ネットワーク）経由で自動的に管理装置４００に送信することで、このような在離席履歴情報を座席Ｓごとに管理装置４００側で自動的に格納（保存）することができる。
【００３８】
そして、本実施形態の在席管理システム１００では、各座席Ｓごとの在離席情報が各第２の通信機３００から無線ＬＡＮ６（通信ネットワーク）経由で自動的に管理装置４００に送信されるため、各座席Ｓごとの在離席履歴情報が管理装置４００側で自動的に格納（保存）することができる。従って、管理装置４００に格納された各座席Ｓごとの在離席履歴情報から、いつ、どの利用者Ｕが、どの座席Ｓに、在席しているのかを特定できるので、本実施形態の在席管理システム１００により、管理装置４００に格納された各座席Ｓごとの在離席履歴情報から、いつ、どの利用者Ｕが、どの座席Ｓに、在席しているのかを管理することができる。
【００３９】
また、本実施形態の在席管理システム１００では、各座席Ｓごとの在離席履歴情報からリアルタイムにパソコン５で、いつ、どの利用者Ｕが、どの座席Ｓに、在席しているかを確認することができる。
【００４０】
また、所謂フリーアドレスのオフィス環境では、日によって、時間によって、利用者Ｕの在席位置が変わるため、どの利用者Ｕが、どの場所で業務をしているのか、そもそもオフィスにいるのか否か等、利用者Ｕの在席状況及び在席場所が分かりにくいが、本実施形態の在席管理システム１００では、いつ、どの利用者Ｕが、どの座席Ｓに、在席しているのかを、リアルタイムにパソコン５で確認することができる。
【００４１】
ところで、本実施形態の座席ごとの在離席履歴情報は、利用者の在席状況や在席場所の確認の他、管理領域の空調や照明のＯＮ／ＯＦＦ制御にも利用することができる。
【００４２】
本実施形態では、管理領域のドアの内側と外側の両方のドアノブやドアの内側と外側の両方の床等に第２の通信機を設置することで、利用者Ｕがドアを通過した方向を検知することができ、入室／退室も管理することができる。
【００４３】
本実施形態では、所謂フリーアドレスのオフィスを管理領域としたが、勿論、利用者の在席場所が定められているオフィス、その他の領域を管理領域としてもよい。例えば。駐車場を含む領域を管理領域とし、第２の通信機を自動車の座席やハンドルに設置することで、社有車やレンタカーの乗車管理に利用することができる。また、映画館，野球や劇場スタジアム，コンサート会場を管理領域とし、第２の通信機を観客席に設置したり、電車内を管理領域とし、第２の通信機を車内の座席に設置することで、観客や乗客の着席管理に利用することができ、この際、チケットや切符と連動させれば観客や乗客と着席との関連をチェックすることができ、不正な入場や乗車を防止することができる。
【００４４】
本実施形態では、第１の通信機ＩＤ情報の発信タイミング間隔、人体通信の通信タイミング間隔、無線ＬＡＮ通信の通信タイミング間隔は、それぞれ、任意に設定されるが、第１の通信機ＩＤ情報の発信タイミング間隔と人体通信の通信タイミング間隔を短くすることで、各座席Ｓごとの在席状況の検知精度を高めることができ、逆に長くすることで、各通信機の電池寿命を延ばすことができる。また、在席中／離席中（不在中、空席中）など第２の通信機が連続して同じ在離席状態を検知している場合、例えば、人体通信の通信タイミング間隔を延ばすことで、第２の通信機の電池寿命をさらに延ばすことができる。なお、各通信機の電池は、交換を要する一次電池、充電可能な二次電池いずれでもよい。また、第２の通信機の電源には、第２の通信機の設置環境にもよるが、商用電源、ＵＳＢ電源、自動車のバッテリ等を使用することができる。
【００４５】
本実施形態では、パソコンが通信ネットワークで接続された管理サーバを管理装置としたが、管理装置がパソコンであってもよい。また、クライアントとしてのパソコンが、他の情報端末機器であってもよい。
【００４６】
本実施形態では、第１の通信機の電界送信部が電界伝送媒体としての利用者に電界を誘起させる電界送信手段として機能し、第２の通信機の電界受信部が管理領域にある座席に在席している利用者に誘起された電界を検出して第１の通信機ＩＤ情報を受信する電界受信部として機能するが、第１の通信機の電界送信手段として電界送信部に代えて送受信機能を有する電界送受信部（電界トランシーバ）を備え、第２の通信機の電界送信手段として電界受信部に代えて第１の通信機と同様の送受信機能を有する電界送受信部（電界トランシーバ）を備えてもよい。なお、電界送受信部は、送信時において、上述した電界送信部と同じ動作を行い、受信時において、上述した電界受信部と同じ動作を行うので、詳しい説明は省略する。
【００４７】
本実施形態では、送信側電極から容量結合を介して人体に送信信号を印加したが、これは、送信側電極を直接人体に接触させて、送信側電極から人体に送信信号を印加するようにしてもよい。
【００４８】
以上、本実施形態は、本発明の一実施形態を説明したが、本発明は、本実施形態に限定されることなく、本発明の要旨を逸脱しない範囲内で種々変形実施することができる。
【符号の説明】
【００４９】
１  管理領域
５  パソコン
６  無線ＬＡＮ（通信ネットワーク）
７  無線ＬＡＮ（通信ネットワーク）
１００  人体通信を使った在席管理システム
２００  第１の通信機
２１０  第１の通信機ＩＤ情報記憶部（第１の通信機ＩＤ情報記憶手段）
２２０  電界送信部（電界送信手段）
２３０  第１の通信機ＩＤ情報発信部（第１の通信機ＩＤ情報発信手段）
３００  第２の通信機
３１０  電界受信部（電界受信手段）
３２０  第２の通信機ＩＤ情報記憶部（第２の通信機ＩＤ情報記憶）
３４０  在離席情報送信部（在離席情報送信手段）
３５０  在離席情報生成部（在離席情報生成手段）
４００  管理装置
４１０  在離席情報受信部（在離席情報受信手段）
４２０  登録情報記憶部（登録情報記憶手段）
４３０  在離席履歴情報生成部（在離席履歴情報生成手段）
４４０  在離席履歴情報格納部（在離席履歴情報格納手段）
４５０  サービス要求受付部（サービス要求受付手段）
４６０  サービス提供部（サービス提供手段）
Ｓ  座席
Ｕ  利用者
【図１】
2012248086.tif 000003
【図２】
2012248086.tif 000004
【図３】
2012248086.tif 000005
【図４】
2012248086.tif 000006
【図５】
2012248086.tif 000007
【図６】
2012248086.tif 000008
【図７】
2012248086.tif 000009